(57)【要約】【課題】  一定のセキュリティ性を確保して簡易な入力操作で、インターネット上の種々の情報を閲覧可能な設備機器の操作端末を提供する。【解決手段】  操作端末１のユーザを識別するためのユーザ情報を登録してある特定サーバに対するユーザ情報の削除または一時的な無効化を行うユーザ登録解除処理の起動用画面を画面表示装置３に表示出力し、ユーザ登録解除処理の起動用画面に基づく操作入力を入力操作装置２から受け付け、特定サーバにアクセスしてユーザ登録解除データの交換を行うユーザ登録解除処理部６と、ユーザ情報が未登録または無効化されている特定サーバに対するユーザ情報の登録または有効化を行うユーザ情報登録処理の起動用画面を画面表示装置３に表示出力し、ユーザ情報登録処理の起動用画面に基づく操作入力を入力操作装置２から受け付け、特定サーバにアクセスしてユーザ情報登録データの交換を行うユーザ情報登録処理部７を備える。【選択図】        図２
2007257233.tif 000002
【特許請求の範囲】
【請求項１】
建造物に固定的に設置される設備機器の操作端末であって、
筐体外面部にユーザ入力操作用の入力操作装置と情報出力用の画面表示装置を有し、
インターネット接続機能を備え、インターネットを介した１または複数の外部サーバとの情報の送受信を行う通信インターフェイスと、
前記入力操作装置からの操作入力を受け付け、前記通信インターフェイスを介して、前記操作入力に基づいて前記外部サーバの１つにアクセスして、前記外部サーバから出力される表示用データの受信を行い、前記表示用データを前記画面表示装置に表示出力する外部情報送受信制御部と、
前記操作端末のユーザを識別するためのユーザ情報を登録してある前記外部サーバの内の１または複数の特定サーバに対する前記ユーザ情報の削除または一時的な無効化を行うユーザ登録解除処理の起動用画面を前記画面表示装置に表示出力し、前記ユーザ登録解除処理の起動用画面に基づく操作入力を受け付け、前記特定サーバの少なくとも１つにアクセスして、所定のユーザ登録解除データの交換を行うユーザ登録解除処理部と、
を備えることを特徴とする設備機器の操作端末。
【請求項２】
前記ユーザ情報が未登録または一時的に無効化されている１または複数の前記特定サーバに対する前記ユーザ情報の登録または有効化を行うユーザ情報登録処理の起動用画面を前記画面表示装置に表示出力し、前記ユーザ情報登録処理の起動用画面に基づく操作入力を受け付け、前記特定サーバの少なくとも１つにアクセスして、所定のユーザ情報登録データの交換を行うユーザ情報登録処理部を備えることを特徴とする請求項１に記載の設備機器の操作端末。
【請求項３】
前記ユーザ情報が、前記操作端末のユーザに固有の情報であって、前記操作端末に固有の設置場所情報は含まず、前記操作端末に固有の端末識別情報と関連付けられて、前記特定サーバに登録されることを特徴とする請求項１または２に記載の設備機器の操作端末。
【請求項４】
前記外部サーバの１つである所定の管理サーバに対する前記操作端末の初期設定処理の起動用画面を前記画面表示装置に表示出力し、前記初期設定処理の起動用画面に基づく操作入力を受け付け、前記管理サーバにアクセスして、前記操作端末に固有の端末識別情報を含む端末認証情報を交換するとともに、前記操作端末の設置場所情報の前記管理サーバへの登録処理を行う初期設定処理部を備えることを特徴とする請求項３に記載の設備機器の操作端末。
【発明の詳細な説明】
【技術分野】
【０００１】
本発明は、建造物に固定的に設置される設備機器の操作端末に関し、更に詳細には、インターネット接続機能を備えインターネット上の情報を閲覧可能な設備機器の操作端末に関する。
【背景技術】
【０００２】
建造物に固定的に設置される設備機器の操作端末として、インターネット接続機能を備えインターネット上の情報を閲覧可能な給湯暖房機のリモコン端末がある（例えば、特許文献１、及び、非特許文献１を参照）。
【０００３】
特許文献１では、内部サーバを有するプライベートネットワークやＶＰＮ技術を利用することなく、インターネットを利用して家庭内等における種々の情報を外部サーバとの間で双方向通信することができる給湯器が開示されており、特許文献１の図５には、インターネット上の情報を閲覧可能な給湯器のリモコン端末が開示されている。
【０００４】
非特許文献１では、インターネット接続用のインターフェイスとＷｅｂブラウザを内蔵し、インターネット上の生活情報やガス使用量等を閲覧可能な給湯暖房機のリモコン端末が開示されている。
【０００５】
【特許文献１】特開２００３−２７９１１８号公報
【非特許文献１】「新築集合住宅向けインターネット接続機能付きガス給湯暖房機用リモコン（ネットワークリモコン）カタログ」、大阪瓦斯株式会社、２００４年１０月１日
【発明の開示】
【発明が解決しようとする課題】
【０００６】
一方、給湯暖房機等の設備機器に限らず、情報家電と称されるインターネット接続機能を備えインターネット上のＷｅｂサーバとデータ送受信可能な電気機器が開発されている。しかし、給湯暖房機、空調機、セキュリティ機器等の設備機器は、一般的な情報家電と異なり、住居等の建造物に固定的に設置されるため、転居等により使用者が移動しても、元の設置個所に残されたまま次に移転した住人に使用されるのが通常である。
【０００７】
ところで、非特許文献１に開示されているように、リモコン端末で閲覧可能な情報としては、天気予報やマンション内のお知らせ等の一般情報に加え、ガス使用量等の個人情報も含まれるため、転居後に次に転入してきた住人に閲覧されて不都合な情報が含まれる場合がある。かかる場合には、パソコン等からインターネットを介して行うオンライン銀行取引やオンラインショッピング等の場合のように、ユーザＩＤやパスワード等によるユーザ認証を行った上で、セキュリティ性を高くして機密データの送受信を行うようにすれば、転居後の次の住人等の第三者に、個人情報等の第三者に閲覧されたくない個人的情報の閲覧を防止できる。しかしながら、設備機器のリモコン端末から、簡易且つ即座に閲覧したい情報に対して、いちいちユーザＩＤやパスワード等の入力を行う操作が煩わしいという一面がある。また、設備機器のリモコン端末は、台所や居間の壁等に設置されている場合には、パソコン等に比べ複雑な入力操作に対する操作性に劣る場合もあり、なるべく簡易な入力操作で種々の操作が可能な構成が好ましい。更に、個人情報等の第三者に閲覧されたくない情報を管理するサーバ側で、転居等のユーザ状況の変化を管理すれば済むとも考えられるが、転出するユーザからの連絡が無かったり、遅れたりすると転居等のユーザ状況の変化が反映されないまま、次の住人等の第三者に対して個人的情報の閲覧を放置する結果となる。
【０００８】
本発明は上記の問題点に鑑みてなされたものであり、その目的は、一定のセキュリティ性を確保して簡易な入力操作で、インターネット上の種々の情報を閲覧可能なインターネット接続機能を備えた設備機器の操作端末を提供する点にある。
【課題を解決するための手段】
【０００９】
上記目的を達成するための本発明に係る設備機器の操作端末は、筐体外面部にユーザ入力操作用の入力操作装置と情報出力用の画面表示装置を有し、インターネット接続機能を備え、インターネットを介した１または複数の外部サーバとの情報の送受信を行う通信インターフェイスと、前記入力操作装置からの操作入力を受け付け、前記通信インターフェイスを介して、前記操作入力に基づいて前記外部サーバの１つにアクセスして、前記外部サーバから出力される表示用データの受信を行い、前記表示用データを前記画面表示装置に表示出力する外部情報送受信制御部と、前記操作端末のユーザを識別するためのユーザ情報を登録してある前記外部サーバの内の１または複数の特定サーバに対する前記ユーザ情報の削除または一時的な無効化を行うユーザ登録解除処理の起動用画面を前記画面表示装置に表示出力し、前記ユーザ登録解除処理の起動用画面に基づく操作入力を受け付け、前記特定サーバの少なくとも１つにアクセスして、所定のユーザ登録解除データの交換を行うユーザ登録解除処理部と、を備えることを第１の特徴とする。
【００１０】
更に、本発明に係る設備機器の操作端末は、上記第１の特徴に加えて、前記ユーザ情報が未登録または一時的に無効化されている１または複数の前記特定サーバに対する前記ユーザ情報の登録または有効化を行うユーザ情報登録処理の起動用画面を前記画面表示装置に表示出力し、前記ユーザ情報登録処理の起動用画面に基づく操作入力を受け付け、前記特定サーバの少なくとも１つにアクセスして、所定のユーザ情報登録データの交換を行うユーザ情報登録処理部を備えることを第２の特徴とする。
【００１１】
更に、本発明に係る設備機器の操作端末は、上記第１または第２の特徴に加えて、前記ユーザ情報は、前記操作端末のユーザに固有の情報であって、前記操作端末に固有の設置場所情報は含まず、前記操作端末に固有の端末識別情報と関連付けられて、前記特定サーバに登録されることを第３の特徴とする。
【００１２】
更に、本発明に係る設備機器の操作端末は、上記第３の特徴に加えて、前記外部サーバの１つである所定の管理サーバに対する前記操作端末の初期設定処理の起動用画面を前記画面表示装置に表示出力し、前記初期設定処理の起動用画面に基づく操作入力を受け付け、前記管理サーバにアクセスして、前記操作端末に固有の端末識別情報を含む端末認証情報を交換するとともに、前記操作端末の設置場所情報の前記管理サーバへの登録処理を行う初期設定処理部を備えることを第４の特徴とする。
【発明の効果】
【００１３】
上記第１の特徴の設備機器の操作端末によれば、操作端末のユーザは、操作端末の設置されている建造物から転出する場合等において、ユーザ登録解除処理部が画面表示装置に表示出力するユーザ登録解除処理の起動用画面に従って操作入力を行えば、既にユーザ情報を登録してある１または複数の特定サーバに対するユーザ情報の削除または一時的な無効化を行うユーザ登録解除処理が、ユーザ登録解除処理部によって特定サーバの少なくとも１つにアクセスしてユーザ登録解除データの交換を行うことで実行される。これにより、全ての特定サーバにアクセスしてユーザ登録解除データの交換を行った場合には、各特定サーバにおいて登録されているユーザ情報が削除または無効化されるため、また、管理用の１つの特定サーバにアクセスしてユーザ登録解除データの交換を行った場合には、当該管理用の特定サーバが他の特定サーバにアクセスして各特定サーバにおいて登録されているユーザ情報が削除または無効化されるため、同じ操作端末から他のユーザが何れの特定サーバにアクセスしても、ユーザ情報が削除または無効化された解除状態であるので、当該他のユーザは解除前のユーザに固有の情報を閲覧することができない。従って、転出するユーザは、当該ユーザ登録解除処理を行うことで、次に転入してくる新しいユーザによる同じ操作端末からのユーザ固有情報の閲覧を防止することができ、転出前においては、転出後のセキュリティ性を確保しつつ、パスワードの照合等によるユーザ認証を行わずに簡易な入力操作でインターネット上の種々の情報を閲覧可能となる。更に、転出するユーザによる当該ユーザ登録解除処理によって、操作端末のインターネット接続を管理している管理者は、転出するユーザの転出事実を事前に把握でき、次に転入してくるユーザに対する外部サーバ側での必要な事前準備等も可能となる。
【００１４】
尚、ユーザ情報の無効化とは、ユーザ情報は削除せずに維持したままユーザ固有情報の閲覧が不可能な状態としておくことで、将来有効化した場合に、元のユーザ情報やユーザ固有情報を一から登録し直す手間を省くことができる。また、ユーザ情報を有効化する際に、別の操作端末と関連付けることで、当該別の操作端末から有効化したユーザ情報に関連付けられたユーザ固有情報の閲覧が可能となり、ユーザ情報を無効化したときの前の操作端末からの閲覧は無効化されたままとすることができる。
【００１５】
上記第２の特徴の設備機器の操作端末によれば、操作端末の新規ユーザは、操作端末の設置されている建造物に新たに移転してきた場合等において、ユーザ情報登録処理部が画面表示装置に表示出力するユーザ情報登録処理の起動用画面に従って操作入力を行えば、ユーザ情報が削除または無効化されてある１または複数の特定サーバに対する新たなユーザ情報の登録または既存のユーザ情報を有効化するユーザ情報登録処理が、ユーザ情報登録処理部によって特定サーバの少なくとも１つにアクセスしてユーザ情報登録データの交換を行うことで実行される。これにより、全ての特定サーバにアクセスしてユーザ情報登録データの交換を行った場合には、各特定サーバにおいて新たなユーザ情報の登録または既存のユーザ情報を有効化され、また、管理用の１つの特定サーバにアクセスしてユーザ情報登録データの交換を行った場合には、当該管理用の特定サーバが他の特定サーバにアクセスして各特定サーバにおいて新たなユーザ情報の登録または既存のユーザ情報を有効化されるため、特定サーバにアクセスして、転出した前のユーザのユーザ情報ではなく新規ユーザのユーザ情報の閲覧が可能となる。
【００１６】
上記第３の特徴の設備機器の操作端末によれば、ユーザ情報が、操作端末に固有の設置場所情報及び操作端末に固有の端末識別情報とは区別して登録されているため、ユーザ情報が削除または無効化されても、操作端末に固有の端末識別情報等は、外部サーバ側で有効であるため、操作端末から外部サーバへのアクセスに対して、外部サーバは登録済みの正規の操作端末からのアクセスであることを認識できるため、当該アクセスを許可して所定の特定のユーザに関連しない一般情報の閲覧が可能となる。
【００１７】
また、ユーザ情報の登録または有効化を行う場合においても、操作端末に固有の端末識別情報等は解除されずに以前のまま登録済みであるので、再度、操作端末の端末認証処理等を外部サーバとの間で行う必要がない。
【００１８】
上記第４の特徴の設備機器の操作端末によれば、操作端末の新規ユーザ、或いは、操作端末の設置工事を行う作業者は、操作端末の設置後最初のインターネット接続時等において、初期設定処理部が画面表示装置に表示出力する初期設定処理の起動用画面に従って操作入力を行えば、初期設定処理部によって管理サーバにアクセスして、管理サーバに対する端末認証情報の交換と操作端末の設置場所情報の登録処理を行う。これにより、管理サーバは、操作端末とのインターネット接続が予定されている他の外部サーバに対して、端末認証情報を登録することができ、操作端末はこれらの外部サーバにアクセスした場合に、外部サーバ側で登録済みの正規の操作端末からのアクセスであることを認識できるため、当該アクセスを許可して所定の情報、少なくとも特定のユーザに関連しない一般情報の閲覧が可能となる。
【発明を実施するための最良の形態】
【００１９】
以下、本発明に係る設備機器の操作端末（以下、適宜「本発明端末」と略称する）の実施形態を図面に基づいて説明する。
【００２０】
図１に示すように、本発明端末１は、建造物１０（例えば、戸建住宅或いは集合住宅等の住居）に固定的に設置される設備機器の一例である給湯暖房機１１のリモコン端末であり、建造物１０内に設置されたＬＡＮ（ローカルネットワーク）１２に接続して、同じくＬＡＮ１２に接続したルータ１３と回線接続機器１４を介してインターネット１５を介して、外部サーバ（管理サーバ１６、コンテンツサーバ１７，１８）に接続可能に構成されている。ＬＡＮ１２には、パソコンや他の情報家電等（図示せず）も接続して、インターネット１５に接続可能であり、また、本発明端末１との間でのデータの送受信が可能であるが、本発明の本旨と直接関係ないので説明は割愛する。尚、図１中の回線接続機器１４は、インターネット１５に物理的に接続するための通信回線（ＡＤＳＬ（非対称デジタル加入者線）、光通信ケーブル、無線通信回線、等）とルータ１３間を接続するためのＡＤＳＬモデム、光回線終端装置等である。本実施形態では、ＬＡＮ１２は一般に普及しているＴＣＰ／ＩＰ（ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）を通信プロトコルとするＬＡＮを想定している。ＬＡＮ１２の物理的な構成は、本発明端末１、ルータ１３、及び、他の端末機器を、ハブ（図示せず）を介してＬＡＮケーブルで接続する構成、無線ＬＡＮで接続する構成、その他の方式の何れでも構わない。
【００２１】
管理サーバ１６は、本発明端末１のインターネット接続を含む種々の運用に必要なデータの設定や登録を管理するサーバで、Ｗｅｂサーバとしての機能とデータベース管理機能を有する。コンテンツサーバ１７，１８は、本発明端末１との間で予め相互に端末認証を行っておくことで、本発明端末１を正規のクライアント端末と認識して、各サーバで管理する情報（例えば、天気予報、ユーザへのお知らせ、居住地域のタウン情報、料理レシピ、ユーザのガス使用量、等）の閲覧を許可して本発明端末１へ当該情報のＨＴＭＬ（ｈｙｐｅｒｔｅｘｔ  ｍａｒｋｕｐ  ｌａｎｇｕａｇｅ）やＸＭＬ（ｅｘｔｅｎｓｉｂｌｅ  ｍａｒｋｕｐ  ｌａｎｇｕａｇｅ）等のマークアップ言語で記述された表示用データを送信するＷｅｂサーバである。
【００２２】
また、外部サーバ１６〜１８の内の管理サーバ１６を含む一部または全部の外部サーバは、本発明端末１の端末認証用の情報以外に、本発明端末１のユーザを識別するためのユーザ情報（例えば、ユーザ氏名やユーザ識別番号等）を登録してあり、以下の説明では説明の便宜上、「特定サーバ」と称する。本実施形態では、特定サーバとして、管理サーバ１６以外に、例えば、ユーザのガス使用量の過去の実績値等の個人情報を含む端末関連データを提供するコンテンツサーバが含まれる。
【００２３】
図２に、本発明端末１のインターネット接続機能に関係する機能ブロック構成を模式的に示す。本発明端末１は、給湯暖房機１１の制御に係る機能を本来的に備えているが、当該本来的機能は、通常の給湯暖房機リモコンと同様の機能であり、本発明の本旨と直接関係ないので説明は割愛する。
【００２４】
図２に示すように、本発明端末１は、筐体外面部（図示せず）に設置されたユーザ入力操作用の入力操作装置２と情報出力用の画面表示装置３を有し、更に、通信インターフェイス４、外部情報送受信制御部５、ユーザ登録解除処理部６、ユーザ情報登録処理部７、初期設定処理部８、不揮発性記憶装置９を備えて構成される。ここで、通信インターフェイス４、外部情報送受信制御部５、ユーザ登録解除処理部６、ユーザ情報登録処理部７、初期設定処理部８は、何れも機能的手段であり、本発明端末１を構成するコンピュータのハードウェア資源を利用して、各機能を実現する各コンピュータプログラムを当該コンピュータの中央演算処理装置が実行することによってソフトウェア的に実現されるものである。
【００２５】
入力操作装置２は、筐体外面部に固定的に設置されたタッチスイッチとタッチパネル機能を備えた画面表示装置３の表示画面上にソフトウェア的に形成されたタッチスイッチで構成される。画面表示装置３は、筐体外面部に固定的に設置されたタッチパネル機能を備えた液晶表示装置で、入力操作用のタッチスイッチや、情報出力用の画面表示を行う。
【００２６】
通信インターフェイス４は、ルータ１３、回線接続機器１４、及び、インターネット１５を介し、外部サーバ１６〜１８との間でＴＣＰ／ＩＰ通信によるデータの送受信を行う通信インターフェイスである。
【００２７】
外部情報送受信制御部５は、入力操作装置２からの操作入力を受け付け、通信インターフェイスを介して、受け付けた操作入力に基づいて指定される外部サーバ１６〜１８等の１つのＷｅｂサーバにアクセスして、アクセスした外部サーバから出力されるＨＴＭＬやＸＭＬ等で記述された表示用データの受信を行い、受信した表示用データを内蔵のＷｅｂブラウザ機能で解釈して、画面表示装置３の表示画面上に表示出力する。
【００２８】
ユーザ登録解除処理部６は、特定サーバに対するユーザ情報の削除を行うユーザ登録解除処理の起動用画面を画面表示装置３に表示出力し、ユーザ登録解除処理の起動用画面に基づく入力操作装置２からの操作入力を受け付け、全ての特定サーバに順番にアクセスして、ユーザ登録解除データの交換を行う。これにより、特定サーバ側では、ユーザ登録解除データに基づいて、アクセスのあった本発明端末１のユーザ情報の削除を行う。
【００２９】
ユーザ情報登録処理部７は、本発明端末１のユーザ情報が未登録である特定サーバに対してユーザ情報の登録を行うユーザ情報登録処理の起動用画面を画面表示装置３に表示出力し、ユーザ情報登録処理の起動用画面に基づく入力操作装置２からの操作入力を受け付け、全ての特定サーバに順番にアクセスして、ユーザ情報登録データの交換を行う。これにより、特定サーバ側では、ユーザ情報登録データに基づいて、アクセスのあった本発明端末１のユーザ情報の登録を行う。
【００３０】
初期設定処理部８は、管理サーバ１６に対する本発明端末１の初期設定処理の起動用画面を画面表示装置３に表示出力し、初期設定処理の起動用画面に基づく入力操作装置２からの操作入力を受け付け、管理サーバ１６にアクセスして、本発明端末１に固有の端末識別情報を含む端末認証情報を交換するとともに、本発明端末１の設置場所情報を送信する。これにより、管理サーバ１６側では、操作端末データベース１９に端末識別情報及び設置場所情報等が登録される。以降、この処理結果によって管理サーバ１６と本発明端末１間で相互に正規の操作端末、正規の管理サーバであることの確認を取り合うことができる。
【００３１】
不揮発性記憶装置９は、本発明端末１を構成するコンピュータに内蔵、或いは、外付けの記憶装置で、例えば、フラッシュメモリ等の不揮発性半導体メモリや磁気ディスクメモリ（ＨＤＤ）等で構成され、本発明端末１からのアクセスを事前に設定してある外部サーバ１６〜１８のＵＲＬ（ｕｎｉｆｏｒｍ  ｒｅｓｏｕｒｃｅ  ｌｏｃａｔｏｒ）またはＩＰアドレス、外部サーバ１６〜１８との端末認証用データ等を記憶する。
【００３２】
本発明端末１は、給湯暖房機１１とともに建造物１０に設置された時点で、図３に示すステップ＃１からステップ＃４までのネットワーク初期設定処理が実行される。具体的には、本発明端末１とルータ１３間がＬＡＮケーブルで通信可能に接続された段階で、初期設定処理部８を起動して、ルータ１３との間の通信設定として、ＩＰアドレス、サブネットマスク、デフォルトゲートウェイアドレス等の設定を行う（ステップ＃１）。初期設定処理部８は、操作者による入力操作装置２の所定の入力操作によって起動されるか、或いは、通信設定の未設定状態を認識して、自動的に起動される構成でもよい。初期設定処理部８が起動されると、初期設定処理部８が初期設定処理の起動用画面を画面表示装置３の表示画面上に表示出力するので、操作者が表示された起動用画面から初期設定処理の起動を実行すると、画面表示装置３に通信設定用の入力画面が表示されるので、操作者が入力画面から入力操作することで、ＩＰアドレス、サブネットマスク、デフォルトゲートウェイアドレス等の設定を行う。この時点で、インターネット接続可能な状態となる。
【００３３】
引き続き、初期設定処理部８は、ステップ＃１の通信設定の完了を認識すると、不揮発性記憶装置９に記憶している管理サーバ１６のＵＲＬまたはＩＰアドレスを読み出し、管理サーバ１６にアクセスして、同じく不揮発性記憶装置９に記憶している本発明端末１に固有の端末識別情報を含む端末認証用データと本発明端末１の設置場所情報等を読み出し、管理サーバ１６との間で端末認証情報の交換を行い（ステップ＃２）、更に、管理サーバ１６に対し、本発明端末１の設置場所情報等を送信する（ステップ＃３）。これにより、管理サーバ１６側では、操作端末データベース１９に端末認証情報及び設置場所情報等が登録される。以降、この処理結果によって管理サーバ１６と本発明端末１間で相互に正規の操作端末、正規の管理サーバであることの確認を取り合うことが可能となる。更に、管理サーバ１６は他の外部サーバにアクセスして、本発明端末１の端末認証情報の登録を別途行う。
【００３４】
引き続き、ユーザ情報登録処理部７を起動して、ユーザ情報登録処理を実行する（ステップ＃４）。ユーザ情報登録処理部７は、操作者による入力操作装置２の所定の入力操作によって起動されるか、或いは、ステップ＃２及び＃３の完了を認識して、自動的に起動される構成でもよい。ユーザ情報登録処理部７が起動されると、ユーザ情報登録処理部７がユーザ情報登録処理の起動用画面を画面表示装置３の表示画面上に表示出力するので、操作者または本発明端末１のユーザが表示された起動用画面からユーザ情報登録処理の起動を行うと、画面表示装置３にユーザ情報登録用の入力画面が表示されるので、必要なユーザ情報の入力操作を行うことで、ユーザ情報が本発明端末１内の一時記憶装置（図示せず）または不揮発性記憶装置９に一時的に記憶される。引き続き、ユーザ情報登録処理部７は、不揮発性記憶装置９に記憶している１または複数の特定サーバのＵＲＬまたはＩＰアドレスを読み出し、各特定サーバに順番にアクセスして、一時的に記憶されたユーザ情報を各特定サーバに送信する。これにより、各特定サーバ側では、管理サーバから先行して送信された端末認証情報と本発明端末１から送信されたユーザ情報を相互に関連付けて登録する。
【００３５】
以上のネットワーク初期設定処理は、本発明端末１の新規設置時或いは修理交換時に、工事作業者によって行われ場合が想定されるが、ステップ＃４のユーザ情報登録処理は、ステップ＃１〜＃３の一連の処理後に、時間を置いて、本発明端末１のユーザが実行するようにしても構わない。更に、上記ネットワーク初期設定処理の一部（例えば、ステップ＃１〜＃３）または全部（ステップ＃１〜＃４）は、本発明端末１において実行せず、ＬＡＮ１２を介して本発明端末１に接続する外部制御端末（パソコン等）からの制御によって実行するようにしても構わない。
【００３６】
次に、ネットワーク初期設定処理済みの状態で、本発明端末１のユーザが転居等の理由で、本発明端末１を使用しなくなる場合のユーザ登録解除処理について説明する。現行のユーザが転出しても、設置済みの給湯暖房機１１とそのリモコン端末である本発明端末１はそのまま建造物１０に使用可能な状態で設置されているので、次に転入してくる新たなユーザは、引き続いて設置済みの給湯暖房機１１と本発明端末１を使用できる。ところで、本発明端末１のインターネット接続機能も継続して使用できるので、現在のユーザは、ネットワーク初期設定処理のユーザ情報登録処理（ステップ＃４）で各特定サーバに登録されたユーザ情報を削除しておく必要がある。
【００３７】
現在のユーザは、転出時または転出直前に、入力操作装置２の所定の入力操作によってユーザ登録解除処理部６を起動し、ユーザ登録解除処理の起動用画面を画面表示装置３に表示出力させる。そして、表示された起動用画面上の起動スイッチボタンを押下すると、ユーザ登録解除処理部６がユーザ登録解除処理を開始する。ユーザ登録解除処理部６は、ネットワーク初期設定処理のユーザ情報登録処理（ステップ＃４）でユーザ情報を登録した全ての特定サーバに順番にアクセスして、ユーザ登録解除データの交換を行う。ユーザ登録解除データは、例えば、本発明端末１と相手方サーバの端末認証情報、削除すべきユーザ情報、ユーザ情報の削除要求で構成される。ユーザ登録解除データを受信した特定サーバは、本発明端末１が正規の登録済みの操作端末であって、自己のサーバに対する正式なユーザ情報の削除要求であることを認識すると、本発明端末１の端末認証情報は削除せずに、ユーザ情報だけを削除する。従って、ユーザ情報の削除後も本発明端末１からのアクセスは許可される。
【００３８】
さて、ユーザ登録解除処理を行ったユーザが転出した後に、次の新規ユーザが転入してきた場合には、設置済みの給湯暖房機１１とそのリモコン端末である本発明端末１はそのまま建造物１０に使用可能な状態で残されているので、当該新規ユーザは、本発明端末１を操作して外部サーバにアクセスすることは可能であるが、各特定サーバではユーザ登録解除処理された状態のままであるので、当該新規ユーザは自己の端末関連データの閲覧が許可されない状態である。従って、当該新規ユーザは、上記ネットワーク初期設定処理のユーザ情報登録処理（ステップ＃４）と同じ処理を再度行う必要がある。以下、新規ユーザによるユーザ情報再登録処理について説明する。
【００３９】
新規ユーザは、ユーザ情報登録処理部７を起動して、ユーザ情報再登録処理を実行する。ユーザ情報登録処理部７は、操作者による入力操作装置２の所定の入力操作によって起動されるか、或いは、ユーザ登録解除処理済み状態であることを認識して、自動的に起動される構成でもよい。ユーザ情報登録処理部７が起動されると、ユーザ情報登録処理部７がユーザ情報登録処理の起動用画面を画面表示装置３の表示画面上に表示出力するので、本発明端末１の新規ユーザが表示された起動用画面からユーザ情報登録処理の起動を行うと、画面表示装置３にユーザ情報登録用の入力画面が表示されるので、必要なユーザ情報の入力操作を行うことで、ユーザ情報が本発明端末１内の一時記憶装置または不揮発性記憶装置９に一時的に記憶される。引き続き、ユーザ情報登録処理部７は、不揮発性記憶装置９に記憶している１または複数の特定サーバのＵＲＬまたはＩＰアドレスを読み出し、各特定サーバに順番にアクセスして、一時的に記憶されたユーザ情報を各特定サーバに送信する。これにより、各特定サーバ側では、管理サーバから送信された端末認証情報と本発明端末１から送信された新たなユーザ情報を相互に関連付けて登録する。
【００４０】
次に、上述のネットワーク初期設定処理、ユーザ登録解除処理、及び、ユーザ情報再登録処理の各処理によって本発明端末１の状態が遷移する様子を、図４に模式的に示す。図４に示すように、本発明端末１は、初期設定処理部８によるネットワーク初期設定処理（ステップ＃１〜＃３）によって、新規設置状態（Ｓ００）から端末認証情報登録状態（Ｓ０１）に遷移し、更に、ユーザ情報登録処理部７によるネットワーク初期設定処理のユーザ情報登録処理（ステップ＃４）によって、端末認証情報登録状態（Ｓ０１）から端末認証情報及びユーザ情報登録状態（Ｓ１１）に遷移する。端末認証情報及びユーザ情報登録状態（Ｓ１１）では、ユーザは本発明端末１から特定サーバにアクセスして、端末関連データの閲覧が可能である。本発明端末１は、ユーザ登録解除処理部６によるユーザ登録解除処理によって、端末認証情報及びユーザ情報登録状態（Ｓ１１）から端末認証情報登録状態（Ｓ０１）に遷移する。端末認証情報登録状態（Ｓ０１）では、ユーザは本発明端末１から特定サーバにアクセス可能であるが、端末関連データの閲覧は不可能である。しかし、端末関連データ以外の一般情報の閲覧は可能である。本発明端末１は、ユーザ情報登録処理部７による単独のユーザ情報再登録処理によって、端末認証情報登録状態（Ｓ０１）から端末認証情報及びユーザ情報登録状態（Ｓ１１）に遷移する。
【００４１】
以上、本発明端末１では、ユーザ登録解除処理部６とユーザ情報登録処理部７によって、端末認証情報登録状態（Ｓ０１）と端末認証情報及びユーザ情報登録状態（Ｓ１１）の２状態間を交互に遷移可能であるので、本発明端末１のユーザが転居等で変化しても、その都度、転出するユーザによるユーザ登録解除処理と転入してきたユーザによるユーザ情報再登録処理を順次実行することで、転入してきたユーザは、転出したユーザの端末関連データは閲覧できず、自己の端末関連データの閲覧が可能となり、一定のセキュリティ性を確保して簡易な入力操作で、インターネット上の種々の情報を閲覧可能な環境をユーザに提供できる。
【００４２】
次に、本発明システムの別実施形態について説明する。
【００４３】
〈１〉上記実施形態では、ユーザ情報登録処理部７によるユーザ情報登録処理及びユーザ情報再登録処理では、本発明端末１のユーザ情報が未登録である全ての特定サーバに順番にアクセスして、ユーザ情報登録データの交換を行う処理形態を説明したが、ユーザ情報登録処理部７が管理サーバ１６にのみアクセスして、ユーザ情報登録データの交換を行う処理形態であってもよい。この場合、管理サーバ１６が他の特定サーバに順番にアクセスして、本発明端末１の端末認証情報とユーザ情報とユーザ情報登録要求を送信して、各特定サーバが、受信した端末認証情報とユーザ情報によって、本発明端末１のユーザ情報を登録するのも好ましい形態である。
【００４４】
〈２〉上記実施形態では、ユーザ登録解除処理部６によるユーザ登録解除処理では、本発明端末１のユーザ情報を登録した全ての特定サーバに順番にアクセスして、ユーザ登録解除データの交換を行う処理形態を説明したが、ユーザ情報登録処理部７が管理サーバ１６にのみアクセスして、ユーザ登録解除データの交換を行う処理形態であってもよい。この場合、管理サーバ１６が他の特定サーバに順番にアクセスして、本発明端末１の端末認証情報とユーザ情報とユーザ登録解除要求を送信して、各特定サーバが、受信した端末認証情報とユーザ情報によって、本発明端末１のユーザ情報を削除するのも好ましい形態である。
【００４５】
〈３〉上記実施形態では、ユーザ登録解除処理部６によるユーザ登録解除処理では、全ての特定サーバに登録された本発明端末１のユーザ情報を削除する場合を想定して説明したが、各特定サーバに登録された本発明端末１のユーザ情報を削除するのではなく、単に無効化するのも好ましい。ユーザ情報を無効化することで、ユーザ情報とユーザ情報に関連付けられて保存されている端末関連データはそのまま保存され、単に端末関連データの閲覧だけが禁止される状態となる。これにより、無効化したユーザ情報を後に有効化することで、既存の端末関連データの閲覧が可能となる。
【００４６】
従って、ユーザ登録解除処理部６によるユーザ登録解除処理でユーザ情報を削除するのではなく無効化した場合には、ユーザ情報登録処理部７によるユーザ情報再登録処理では、新たなユーザ情報を登録するのではなく、無効化したユーザ情報の有効化を行うことになる。この場合、別の本発明端末１からユーザ情報の有効化を行う場合には、別の本発明端末１の端末認証情報とユーザ情報の関連付けが行われ、以前に使用していた本発明端末１から閲覧していた端末関連データを別の本発明端末１から閲覧可能となる。ここで、ユーザ情報の無効化の際に、有効化の際に使用するユーザＩＤやパスワードを発行しておくことで、第三者による不正な有効化を防止することができる。
【００４７】
本別実施形態〈３〉の場合には、上述のネットワーク初期設定処理、ユーザ登録解除処理、及び、ユーザ情報再登録処理の各処理によって本発明端末１の状態は、図５に模式的に示すような遷移となる。図５に示すように、本発明端末１は、初期設定処理部８によるネットワーク初期設定処理（ステップ＃１〜＃３）によって、新規設置状態（Ｓ００）から端末認証情報登録状態（Ｓ０１）に遷移し、更に、ユーザ情報登録処理部７によるネットワーク初期設定処理のユーザ情報登録処理（ステップ＃４）によって、端末認証情報登録状態（Ｓ０１）から端末認証情報及びユーザ情報登録状態（Ｓ１１）に遷移する。端末認証情報及びユーザ情報登録状態（Ｓ１１）では、ユーザは本発明端末１から特定サーバにアクセスして、端末関連データの閲覧が可能である。ここまでは、上記実施形態と同じである。本別実施形態〈３〉の場合には、本発明端末１は、ユーザ登録解除処理部６によるユーザ登録解除処理によって、端末認証情報及びユーザ情報登録状態（Ｓ１１）から端末認証情報登録・ユーザ情報無効化状態（Ｓｘ１）に遷移する。端末認証情報登録・ユーザ情報無効化状態（Ｓｘ１）では、ユーザは本発明端末１から特定サーバにアクセス可能であるが、端末関連データの閲覧は不可能である。しかし、端末関連データ以外の一般情報の閲覧は可能である。本発明端末１は、ユーザ情報登録処理部７による単独のユーザ情報再登録処理によって、端末認証情報登録・ユーザ情報無効化状態（Ｓｘ１）から端末認証情報及びユーザ情報登録状態（Ｓ１１）に遷移する。
【００４８】
〈４〉上記実施形態では、図１において、建造物１０として戸建住宅を想定して、建造物１０内に、本発明端末（設備機器の操作端末）１と給湯暖房機（設備機器）１１が１組だけ設置されている場合を例示したが、建造物１０として集合住宅を想定した場合には、建造物１０内に、本発明端末１と給湯暖房機１１が複数組設置され、各操作端末がＬＡＮ１２を介して共通のルータ１３に接続する構成としてもよい。尚、集合住宅内に本発明端末１と設備機器１１が複数組設置されている場合に、各設備機器１１は、必ずしも同じ設備機器或いは機種である必要はない。同様に、各操作端末１も、必ずしも同じ仕様、外観である必要はない。
【００４９】
更に、建造物１０内に、本発明端末（設備機器の操作端末）１と給湯暖房機（設備機器）１１が１組だけ設置されている場合において、本発明端末１が、ＬＡＮ１２とルータ１３を介さずに、直接、回線接続機器１４に接続してインターネット１５に接続可能に構成されていても構わない。
【００５０】
〈５〉上記実施形態において、本発明端末１は、設備機器本体から分離したリモコン端末を想定して説明したが、本発明端末１の一部または全部が、設備機器本体側に設けられていても構わない。例えば、リモコン端末側に入力操作装置２と画面表示装置３だけを備えて、通信インターフェイス４、外部情報送受信制御部５、ユーザ登録解除処理部６、ユーザ情報登録処理部７、初期設定処理部８、不揮発性記憶装置９等を、設備機器本体側に設けても構わない。
【００５１】
〈６〉上記実施形態において、本発明端末１と接続する設備機器として、給湯暖房機を想定したが、給湯暖房機はガス給湯暖房機でも電気給湯暖房機でもよく、また、給湯暖房機以外の設備機器、例えば、空調専用機器や、ホームセキュリティ機器であっても構わない。
【産業上の利用可能性】
【００５２】
本発明に係る設備機器の操作端末は、インターネット接続機能を備えた給湯暖房機のリモコン端末等の建造物に固定的に設置される設備機器の操作端末に利用可能である。
【図面の簡単な説明】
【００５３】
【図１】本発明に係る設備機器の操作端末の一実施形態におけるインターネット接続環境の概略のシステム構成を示すブロック図
【図２】本発明に係る設備機器の操作端末の一実施形態におけるインターネット接続機能に関係する概略の機能構成を示すブロック図
【図３】本発明に係る設備機器の操作端末の一実施形態におけるネットワーク初期設定処理の処理手順を示すフローチャート
【図４】本発明に係る設備機器の操作端末の一実施形態におけるネットワーク初期設定処理、ユーザ登録解除処理、及び、ユーザ情報再登録処理の各処理による状態の遷移を示す状態遷移図
【図５】本発明に係る設備機器の操作端末の別実施形態におけるネットワーク初期設定処理、ユーザ登録解除処理、及び、ユーザ情報再登録処理の各処理による状態の遷移を示す状態遷移図
【符号の説明】
【００５４】
１：  本発明に係る設備機器の操作端末（給湯暖房機のリモコン端末）
２：  入力操作装置
３：  画面表示装置
４：  通信インターフェイス
５：  外部情報送受信制御部
６：  ユーザ登録解除処理部
７：  ユーザ情報登録処理部
８：  初期設定処理部
９：  不揮発性記憶装置
１０：  建造物（住居）
１１：  設備機器（給湯暖房機）
１２：  ＬＡＮ
１３：  ルータ
１４：  回線接続機器
１５：  インターネット
１６：  外部サーバ（管理サーバ）
１７：  外部サーバ（コンテンツサーバ）
１８：  外部サーバ（コンテンツサーバ）
１９：  操作端末データベース
【図１】
2007257233.tif 000003
【図２】
2007257233.tif 000004
【図３】
2007257233.tif 000005
【図４】
2007257233.tif 000006
【図５】
2007257233.tif 000007